(57)【要約】【課題】サウナ対象室内の使用者の体感温度分布を均一にすることができるサウナ装置を提供する。【解決手段】水または温水を水滴に破砕する水破砕手段１６と、この水破砕手段１６により破砕された水滴を大粒の水滴と微細な水滴とに分離する気液分離手段１７とを含む加湿手段１１と、サウナ対象室から取り込まれる空気を加熱する加熱手段１２と、この加熱手段１２により加熱される空気、または加湿手段１１により生成される水滴を含む空気をサウナ対象室１に送風する送風手段とを備え、加熱手段１２と加湿手段１１と前記送風手段とを天井裏空間２に配置する構成とする。【選択図】図２
2006025967.tif 000002
【特許請求の範囲】
【請求項１】
水または温水を水滴に破砕する水破砕手段と、この水破砕手段により破砕された水滴を大粒の水滴と微細な水滴とに分離する気液分離手段とを含む加湿手段と、サウナ対象室から取り込まれる空気を加熱する加熱手段と、この加熱手段により加熱される空気、または前記加湿手段により生成される前記水滴を含む空気を前記サウナ対象室に送風する送風手段とを備え、前記加熱手段と前記加湿手段と前記送風手段とを天井裏に配置することを特徴とするサウナ装置。
【請求項２】
前記加熱手段と前記加湿手段と前記送風手段とを箱体内に一体にして収納したことを特徴とする請求項１に記載のサウナ装置。
【請求項３】
前記加湿手段を、その一方側に水破砕手段を備え、他方側に気液分離手段を備えて全体として横長形状に構成することを特徴とする請求項１または２のいずれかに記載のサウナ装置。
【請求項４】
前記加湿手段は水破砕手段と気液分離手段と送風手段とを含み、前記水破砕手段は水または温水を噴射する噴射手段とこの噴射手段により噴射した水または温水を衝突させる衝突手段とを備えていることを特徴とする請求項１〜３のいずれかに記載のサウナ装置。
【請求項５】
水または温水を水滴に破砕する水破砕手段と、この水破砕手段により破砕された水滴を大粒の水滴と微細な水滴とに分離する気液分離手段とを含む加湿手段と、サウナ対象室から取り込まれる空気を加熱する加熱手段と、この加熱手段により加熱される空気、または前記加湿手段により生成される前記水滴を含む空気を前記サウナ対象室に送風する送風手段とを備え、前記水破砕手段は水または温水を噴射する噴射手段とこの噴射手段により噴射した水または温水を衝突させ、それ自体が運動する衝突手段とを含むことを特徴とするサウナ装置。
【請求項６】
前記水破砕手段は水または温水を噴射する噴射手段とこの噴射手段により噴射した水または温水を衝突させ、それ自体が運動する衝突手段とを含むことを特徴とする請求項１〜３のいずれかに記載のサウナ装置。
【請求項７】
前記水破砕手段と前記気液分離手段とを水平方向に一列に配置することを特徴とする請求項３〜６のいずれかに記載のサウナ装置。
【請求項８】
前記衝突手段は、水または温水を水滴に破砕するとともに前記水滴を送風するファンで構成されることを特徴とする請求項４〜６のいずれかに記載のサウナ装置。
【請求項９】
前記ファンは鉛直上方から吸い込み、水平方向に吹き出すことを特徴とする請求項８に記載のサウナ装置。
【請求項１０】
前記気液分離手段と連通し、前記気液分離手段により分離された水を排出する排水口をサウナ装置の最下面より高い位置に設けたことを特徴とする請求項２に記載のサウナ装置。
【請求項１１】
前記気液分離手段と連通し、前記気液分離手段により分離された水を排出する排水口を設け、前記水破砕手段から前記排水口に至る排水のための通路を下り勾配に形成したことを特徴とする請求項１、２、３、４、６、７、８、または９に記載のサウナ装置。
【請求項１２】
前記気液分離手段と連通し、前記気液分離手段により分離された水を排出する排水口を設け、前記気液分離手段から前記排水口に至る通路に水位検知手段を設けたことを特徴とする請求項１、２、３、４、６、７、８、または９に記載のサウナ装置。
【請求項１３】
前記気液分離手段に対して下流側に排水ポンプを設け、前記排水ポンプの吐出側を排水口としたことを特徴とする請求項１、２、３、４、６、７、８、または９に記載のサウナ装置。
【請求項１４】
サウナ対象室の空気を吸い込んで屋外へ排出する排気手段を設け、前記加湿手段、前記加熱手段、および前記排気手段のそれぞれに吸い込まれる前記サウナ対象室の空気を同一の空気流入口から取り入れることを特徴とする請求項１〜１３のいずれかに記載のサウナ装置。
【請求項１５】
前記水破砕手段に水または温水を供給する給水手段と、この給水手段に供給する水を加熱する熱交換器を備えたことを特徴とする請求項１〜１４のいずれかに記載のサウナ装置。
【請求項１６】
サウナ対象室に面する吸込口から前記気液分離手段に至る空気流通路に発熱体を設けることを特徴とする請求項１〜１４のいずれかに記載のサウナ装置。
【請求項１７】
前記気液分離手段を温水コイルで構成することを特徴とする請求項１６に記載のサウナ装置。
【請求項１８】
水破砕手段に水または温水を供給する給水手段のサウナ対象室からの給水接続口と、サウナ装置内部の水を外部に排出する排水口と、前記給水手段に供給する水を加熱する熱交換器に接続してなる循環温水回路のサウナ装置への入口および出口とを、サウナ装置の一側面に位置させたことを特徴とする請求項１〜１７のいずれかに記載のサウナ装置。
【請求項１９】
前記気液分離手段からサウナ対象室に面した吹出口に至る流路に、一旦鉛直上方に持ち上げたのち、前記吹出口に向けて下方に降下する通風路を形成することを特徴とする請求項１、２、３、４、６、７、８、９、１０、１１、１２、１４、１５、１６、１７、または１８に記載のサウナ装置。
【請求項２０】
水破砕手段に水または温水を供給する給水手段の外部からの給水接続口と、サウナ装置内部に存在する水を外部に排出する排水口と、前記給水手段に供給する水を加熱するための熱交換器に接続する循環温水回路をサウナ装置に接続する接続口とを、前記サウナ装置を下方からみたときに、前記サウナ装置を収納するためにサウナ対象室の天井に形成した開口縁よりも内側に設けたことを特徴とする請求項１、２、３、４、６、７、８、９、１０、１１、１２、１４、１５、１６、１７、１８、または１９に記載のサウナ装置。
【請求項２１】
前記水破砕手段に水または温水を供給する給水手段と、この給水手段に供給する水を加熱する熱交換器に接続する循環温水回路とを備え、前記循環温水回路を着脱可能に構成することを特徴とする請求項２または３に記載のサウナ装置。
【請求項２２】
前記加熱手段と前記加湿手段と前記送風手段とを収納する前記箱体の下部に形成した開口よりも、前記加湿手段の断面形状を小さくしたことを特徴とする請求項２１に記載のサウナ装置。
【請求項２３】
前記加熱手段と前記加湿手段と前記送風手段とを収納する前記箱体の下部に形成した開口よりも、前記加熱手段の断面形状を小さくしたことを特徴とする請求項２１に記載のサウナ装置。
【請求項２４】
加熱手段、加湿手段、および送風手段の動作制御をおこなう制御手段を備え、前記制御手段は前記加熱手段、加湿手段、および送風手段より着脱可能な構成とすることを特徴とする請求項２または３に記載のサウナ装置。
【請求項２５】
前記加熱手段と前記加湿手段と前記送風手段とを収納する前記箱体の下部に形成した開口よりも、前記制御手段の断面形状を小さくしたことを特徴とする請求項２４に記載のサウナ装置。
【発明の詳細な説明】
【技術分野】
【０００１】
本発明は浴室内を高温高湿なサウナ空間にするサウナ装置に関するものである。
【背景技術】
【０００２】
サウナには、室内の温度を１００℃程度、相対湿度を１０％程度の高温低湿環境にするドライ式サウナや、室内の温度を４０〜５０℃程度、相対湿度を７０％以上程度の中高温高湿環境にするスチーム式サウナがある。近年、浴室やシャワー室等に設置し、浴室やシャワー室そのものをサウナルームとして使用可能とするサウナ装置が注目されており、スチーム式のものが種々提案されている（例えば、特許文献１参照）。
【０００３】
図１０は、従来のこのようなサウナ装置の内部構造の概略を示す要部断面図である。図１０に示すように、外装体１０１の内部において、複数の湯噴出口１０４を有する噴出湯管１０５が上部に配置され、噴出湯管１０５の下方に複数の薄板１０７とパイプ状の連結部材１０６で構成される熱交換促進部材１０８が配置され、さらにその下部にファンユニット１０９が配置されている。湯噴出口１０４から熱交換促進部材１０８上に噴出された温水の一部が蒸発して発生する水蒸気を、ファンユニット１０９によって空気吸入口１０２から吸引された空気に供給し、スチーム吹出口１０３から浴室内に噴出するようになっている。熱交換後の温水はドレンパン１１０に集められ、外部へ排水される。
【特許文献１】特開平６−６３１０３号公報（第５頁、第３図）
【発明の開示】
【発明が解決しようとする課題】
【０００４】
このような従来のサウナ装置では加湿量を維持するために、噴出湯管１０５を介して複数の湯噴出口１０４から噴出される温水とファンユニット１０９により空気吸込口１０２から吸引された空気との接触面積、つまりは熱交換促進部材１０８の薄板１０７面積が必要となり、このため薄板１０７の枚数を増やすか、薄板１０７の１枚当たりの面積を大きくとる必要がある。また、薄板１０７の１枚当たりの面積を大きくとった場合、湯噴出口１０４から噴出された温水の薄板１０７上を流れる時間を多く取る必要があり、このため温水の落下方向に長い形状の熱交換促進部材１０８となる。
【０００５】
以上のことから、ファンユニット１０９を高速回転等行ってスチーム吹出口１０３からの加湿風量を増加させた場合には、薄板１０７間の空気の通過スピードが速くなり、大粒水滴としてスチーム吹出口１０３より吹き出されてしまう可能性があり、これが入浴者の体に触れて体感上好ましくないという課題があった。
【０００６】
本発明は、上記課題を解決するもので、サウナ対象室内の使用者の体感温度分布を均一にすることができるサウナ装置を提供することを目的としている。
【課題を解決するための手段】
【０００７】
本発明のサウナ装置は上記目的を達成するために、水または温水を水滴に破砕する水破砕手段と、この水破砕手段により破砕された水滴を大粒の水滴と微細な水滴とに分離する気液分離手段とを含む加湿手段と、サウナ対象室から取り込まれる空気を加熱する加熱手段と、この加熱手段により加熱される空気、または前記加湿手段により生成される前記水滴を含む空気を前記サウナ対象室に送風する送風手段とを備え、前記加熱手段と前記加湿手段と前記送風手段とを天井裏に配置することを特徴とする。
【０００８】
これにより、使用者に対して体感温度分布が均一で快適性の高いサウナ装置が得られる。
【０００９】
また、本発明のサウナ装置は、前記加熱手段と前記加湿手段と前記送風手段とを箱体内に一体にして収納したことを特徴とする。
【００１０】
これにより、同じ吹出口、または近い位置にある吹出口から加熱空気と加湿空気を吹き出すことができるので、混合した加熱加湿空気をサウナ対象室に吹き出すことができ、使用者の体感温度分布を均一にすることはもとより、サウナ対象室全体の温湿度分布を均一にすることができるサウナ装置が得られる。
【００１１】
また、本発明のサウナ装置は、前記加湿手段を、その一方側に水破砕手段を備え、他方側に気液分離手段を備えて全体として横長形状に構成することを特徴とする。
【００１２】
これにより、サウナ装置の高さを小さくして、天井裏空間にサウナ装置が設置することを容易にし、使用者の体感温度分布を均一にすることができるサウナ装置が得られる。
【００１３】
また、本発明のサウナ装置は、前記加湿手段は水破砕手段と気液分離手段と送風手段とを含み、前記水破砕手段は水または温水を噴射する噴射手段とこの噴射手段により噴射した水または温水を衝突させる衝突手段とを備えていることを特徴とする。
【００１４】
これにより、噴射手段および送風手段の加減により任意に加湿量が増減できるサウナ装置が得られる。
【００１５】
また、本発明のサウナ装置は、水または温水を水滴に破砕する水破砕手段と、この水破砕手段により破砕された水滴を大粒の水滴と微細な水滴とに分離する気液分離手段とを含む加湿手段と、サウナ対象室から取り込まれる空気を加熱する加熱手段と、この加熱手段により加熱される空気、または前記加湿手段により生成される前記水滴を含む空気を前記サウナ対象室に送風する送風手段とを備え、前記水破砕手段は水または温水を噴射する噴射手段とこの噴射手段により噴射した水または温水を衝突させ、それ自体が運動する衝突手段とを含むことを特徴とする。
【００１６】
これにより、噴射手段の噴射エネルギーの増減の影響を受けにくく必要な加湿量を確保できる。
【００１７】
また、本発明のサウナ装置は、前記水破砕手段は水または温水を噴射する噴射手段とこの噴射手段により噴射した水または温水を衝突させ、それ自体が運動する衝突手段とを含むことを特徴とする。
【００１８】
これにより、噴射手段の噴射エネルギーの増減の影響を受けにくく必要な加湿量を確保できる。
【００１９】
また、本発明のサウナ装置は、前記水破砕手段と前記気液分離手段とを水平方向に一列に配置することを特徴とする。
【００２０】
これにより、天井裏空間に収納容易な高さを有するサウナ装置が得られる。
【００２１】
また、本発明のサウナ装置は、前記衝突手段は、水または温水を水滴に破砕するとともに前記水滴を送風するファンで構成されることを特徴とする。
【００２２】
これにより、小型のサウナ装置が得られる。
【００２３】
また、本発明のサウナ装置は、前記ファンは鉛直上方から吸い込み、水平方向に吹き出すことを特徴とするものである。
【００２４】
これにより、ファンが回転したときファンの下方の空間は負圧になりにくいため、噴射しファンに衝突して下方に流れ出た水が滞留することなく排水することができる加湿手段が得られる。
【００２５】
また、本発明のサウナ装置は、前記気液分離手段と連通し、前記気液分離手段により分離された水を排出する排水口をサウナ装置の最下面より高い位置に設けたことを特徴とする。
【００２６】
これにより、サウナ装置からの排水口から天井までの高さ方向に距離ができるため、排水勾配をとることができるサウナ装置が得られる。
【００２７】
また、本発明のサウナ装置は、前記気液分離手段と連通し、前記気液分離手段により分離された水を排出する排水口を設け、前記水破砕手段から前記排水口に至る排水のための通路を下り勾配に形成したことを特徴とする。
【００２８】
これにより、水破砕手段および気液分離手段で回収された水が排水口から確実に回収できるサウナ装置が得られる。
【００２９】
また、本発明のサウナ装置は、前記気液分離手段と連通し、前記気液分離手段により分離された水を排出する排水口を設け、前記気液分離手段から前記排水口に至る通路に水位検知手段を設けたことを特徴とする。
【００３０】
これにより、排水不良等によりサウナ装置内部に貯水される水または温水の貯水量を検知することができるサウナ装置が得られる。
【００３１】
また、本発明のサウナ装置は、前記気液分離手段に対して下流側に排水ポンプを設け、前記排水ポンプの吐出側を排水口としたことを特徴とする。
【００３２】
これにより、強制排水することができ、排水揚程がとれない施工現場でもサウナ装置を施工することができる。
【００３３】
また、本発明のサウナ装置は、サウナ対象室の空気を吸い込んで屋外へ排出する排気手段を備え、前記加湿手段、前記加熱手段、および前記排気手段のそれぞれに吸い込まれる前記サウナ対象室の空気を同一の空気流入口から取り入れることを特徴とする。
【００３４】
これにより、加湿による結露水が加熱手段による加熱と排気手段による排気により容易に排気できるサウナ装置が得られる。
【００３５】
また、本発明のサウナ装置は、前記水破砕手段に水または温水を供給する給水手段と、この給水手段に供給する水を加熱する熱交換器を備えたことを特徴とする。
【００３６】
これにより、加湿能力を増加することができるサウナ装置が得られる。
【００３７】
また、本発明のサウナ装置は、サウナ対象室に面する吸込口から前記気液分離手段に至る空気流通路に発熱体を設けることを特徴とする。
【００３８】
これにより、供給空気を加熱することができ、加湿空気に温熱感を持たせることができるとともに加湿量が増加するサウナ装置が得られる。
【００３９】
また、本発明のサウナ装置は、前記気液分離手段を温水コイルで構成することを特徴とする。
【００４０】
これにより、温水コイルにより大粒の水滴と微細水滴とを分離することができ、一方温水コイルに温水を流すことにより加熱加湿空気を吹き出すことができるサウナ装置が得られる。
【００４１】
また、本発明のサウナ装置は、水破砕手段に水または温水を供給する給水手段のサウナ対象室からの給水接続口と、サウナ装置内部の水を装置外部に排出する排水口と、前記給水手段に供給する水を加熱する熱交換器に接続してなる循環温水回路のサウナ装置への入口および出口とを、サウナ装置の一側面に位置させたことを特徴とする。
【００４２】
これにより、サウナ装置の設置において一方向のみを施工スペースとして設ければよく設置場所の規制が緩和されるとともに施工を容易にすることができるサウナ装置が得られる。
【００４３】
また、本発明のサウナ装置は、気液分離手段からサウナ対象室に面した吹出口に至る流路に、一旦鉛直上方に持ち上げたのち、前記吹出口に向けて下方に降下する通風路を形成することを特徴とする。
【００４４】
これにより、水破砕手段と気液分離手段により回収され排水口に導かれた水が送風手段により送気される空気流にのって吹出口より吹き出すことを抑制することができるサウナ装置が得られる。
【００４５】
また、本発明のサウナ装置は、水破砕手段に水または温水を供給する給水手段の外部からの給水接続口と、サウナ装置内部に存在する水を外部に排出する排水口と、前記給水手段に供給する水を加熱するための熱交換器に接続する循環温水回路をサウナ装置に接続する接続口とを、前記サウナ装置を下方からみたときに、前記サウナ装置を収納するためにサウナ対象室の天井に形成した開口縁よりも内側に設けたことを特徴とする。
【００４６】
これにより、天井裏には漏水することがないサウナ装置が得られる。
【００４７】
また、本発明のサウナ装置は、前記水破砕手段に水または温水を供給する給水手段と、この給水手段に供給する水を加熱する熱交換器に接続する循環温水回路とを備え、前記循環温水回路を着脱可能に構成することを特徴とする。
【００４８】
これにより、安定した作業体勢でメンテナンスを行うことができるサウナ装置が得られる。
【００４９】
また、本発明のサウナ装置は、前記加熱手段と前記加湿手段と前記送風手段とを収納する前記箱体の下部に形成した開口よりも、前記加湿手段の断面形状を小さくしたことを特徴とする。
【００５０】
これにより、加湿手段を取り出すときに無理な動作を行うことのないサウナ装置が得られる。
【００５１】
また、本発明のサウナ装置は、前記加熱手段と前記加湿手段と前記送風手段とを収納する前記箱体の下部に形成した開口よりも、前記加熱手段の断面形状を小さくしたことを特徴とするものである。
【００５２】
これにより、加熱手段を取り出すときに無理な動作を行うことのないサウナ装置が得られる。
【００５３】
また、本発明のサウナ装置は、加熱手段、加湿手段、および送風手段の動作制御をおこなう制御手段を備え、前記制御手段は前記加熱手段、加湿手段、および送風手段より着脱可能な構成とすることを特徴とする。
【００５４】
これにより、電装系部品のメンテナンスや交換の作業性が向上する。
【００５５】
また、本発明のサウナ装置は、前記加熱手段と前記加湿手段と前記送風手段とを収納する前記箱体の下部に形成した開口よりも、前記制御手段の断面形状を小さくしたことを特徴とするものである。
【００５６】
これにより、制御手段を取り出すときに無理な動作を行うことのないサウナ装置が得られる。
【発明の効果】
【００５７】
本発明によれば、使用者に対して体感温度分布を均一にすることができる。
【００５８】
また、直接、サウナ対象室内にいる使用者に高温高湿の吹出し空気が当たりにくく、サウナ対象室内にムラのない湿度空間を創造することができる。
【発明を実施するための最良の形態】
【００５９】
本発明の請求項１に記載のサウナ装置は、水または温水を水滴に破砕する水破砕手段と、この水破砕手段により破砕された水滴を大粒の水滴と微細な水滴とに分離する気液分離手段とを含む加湿手段と、サウナ対象室から取り込まれる空気を加熱する加熱手段と、この加熱手段により加熱される空気、または前記加湿手段により生成される前記水滴を含む空気を前記サウナ対象室に送風する送風手段とを備え、前記加熱手段と前記加湿手段と前記送風手段とを天井裏に配置することを特徴とするものであり、天井側から前記加湿手段により微細化した水滴を含む空気を送ることにより使用者の体感温度分布を均一にし、サウナ対象室の温湿度分布が全体として向上するという作用を有する。また、天井裏に装置を隠蔽することにより意匠性に優れ、使用者の活動の邪魔になることがないという作用を有する。
【００６０】
また、請求項２に記載の発明は、請求項１に記載のサウナ装置において、前記加熱手段と前記加湿手段と前記送風手段とを箱体内に一体にして収納したことを特徴とするものであり、サウナ対象室内に設置スペースを必要とせず、またサウナ装置の施工を容易にすることができる。
【００６１】
また、請求項３に記載の発明は、請求項１または２に記載のサウナ装置において、前記加湿手段を、その一方側に水破砕手段を備え、他方側に気液分離手段を備えて全体として横長形状に構成することを特徴とするものであり、サウナ装置の高さを小さくすることができるので、高さ方向に制限のある浴室などの天井裏空間にサウナ装置が設置することができ、使用者の体感温度分布を均一にでき、サウナ対象室の温湿度分布が全体として向上する。
【００６２】
また、請求項４に記載の発明は、請求項１〜３のいずれかに記載のサウナ装置において、前記加湿手段は水破砕手段と気液分離手段と送風手段とを含み、前記水破砕手段は水または温水を噴射する噴射手段とこの噴射手段により噴射した水または温水を衝突させる衝突手段とを備えていることを特徴とするものであり、水または温水の衝突での拡散により前記水破砕手段と前記気液分離手段との間に構成される空気流通路が広範囲で高湿度の空間となるため、前記空気流通路全体が気体と液体の接触空間となり加湿手段を小型化することができる。
【００６３】
また、請求項５に記載のサウナ装置は、前記水破砕手段は水または温水を噴射する噴射手段とこの噴射手段により噴射した水または温水を衝突させ、それ自体が運動する衝突手段とを含むことを特徴とするものであり、衝突手段の運動エネルギーが加算されることによる水滴の微細化が促進され、噴射手段の噴射能力の影響を受けにくい。また、衝突手段の見かけの面積の増加、つまりは気体と液体の見かけの接触面積が増大するため、小型でも加湿能力を高くすることができる。
【００６４】
また、請求項６に記載の発明は、請求項１〜３のいずれかに記載のサウナ装置において、前記水破砕手段は水または温水を噴射する噴射手段とこの噴射手段により噴射した水または温水を衝突させ、それ自体が運動する衝突手段とを含むことを特徴とするものであり、衝突手段の運動エネルギーが加算されることによる水滴の微細化が促進され、噴射手段の噴射能力の影響を受けにくい。また、衝突手段の見かけの面積の増加、つまりは気体と液体の見かけの接触面積が増大するため、小型でも加湿能力を高くすることができる。
【００６５】
また、請求項７に記載の発明は、請求項３〜６のいずれかに記載のサウナ装置において、前記水破砕手段と前記気液分離手段とを水平方向に一列に配置することを特徴とするものであり、空気と液体が水平方向に流動させることにより、サウナ装置の高さ方向を低くすることができる。
【００６６】
また、請求項８に記載の発明は、請求項４〜６のいずれかに記載のサウナ装置において、前記衝突手段は、水または温水を水滴に破砕するとともに前記水滴を送風するファンで構成されることを特徴とするものであり、衝突手段が送風手段と水破砕手段を兼ねることもでき、小型で安価な加湿手段を備えたサウナ装置を構成することができる。
【００６７】
また、請求項９に記載の発明は、請求項８に記載のサウナ装置において、前記ファンは鉛直上方から吸い込み、水平方向に吹き出すことを特徴とするものであり、ファンが鉛直下方向より空気を吸込んだ場合は駆動するファンの吸込口が負圧になることにより水破砕手段で回収された排水に導かれるべきはずの水が水破砕手段の下面で滞留し排水されない現象が起こりうるが、鉛直上方向からの吸込みとしたことにより、水破砕手段で回収された水は排水口に確実に導くことができる。
【００６８】
また、請求項１０に記載の発明は、請求項２に記載のサウナ装置において、前記気液分離手段と連通し、前記気液分離手段により分離された水を排出する排水口をサウナ装置の最下面より高い位置に設けたことを特徴とするものであり、サウナ装置の最下面はサウナ対象室の天井とほぼ同位置となるので、サウナ対象室から排水口まで距離を確保することができることにより、排水口からサウナ対象室のへりまで排水勾配を形成することが官報になる。
【００６９】
また、請求項１１に記載の発明は、請求項１、２、３、４、６、７、８、または９に記載のサウナ装置において、前記気液分離手段と連通し、前記気液分離手段により分離された水を排出する排水口を設け、前記水破砕手段から前記排水口に至る排水のための通路を下り勾配に形成したことを特徴とするものであり、水破砕手段および気液分離手段で回収された水を確実に排水口に導くことができる。
【００７０】
また、請求項１２に記載の発明は、請求項１、２、３、４、６、７、８、または９に記載のサウナ装置において、前記気液分離手段と連通し、前記気液分離手段により分離された水を排出する排水口を設け、前記気液分離手段から前記排水口に至る通路に水位検知手段を設けたことを特徴とするものであり、施工不良等で水が排水されない場合でも水位検知手段によりサウナ装置内部の水位を検知し、一定以上になった場合給水を止める等行なって、溢水させないサウナ装置とすることができる。
【００７１】
また、請求項１３に記載の発明は、請求項１、２、３、４、６、７、８、または９に記載のサウナ装置において、前記気液分離手段に対して下流側に排水ポンプを設け、前記排水ポンプの吐出側を排水口としたことを特徴とするものであり、施工不良等で水が排水されない場合でも強制的に排水することができるため、排水揚程が取れない場所への設置が可能となる。
【００７２】
また、請求項１４に記載の発明は、請求項１〜１３のいずれかに記載のサウナ装置において、サウナ対象室の空気を吸い込んで屋外へ排出する排気手段を備え、前記加湿手段、前記加熱手段、および前記排気手段のそれぞれに吸い込まれる前記サウナ対象室の空気を同一の空気流入口から取り入れることを特徴とするものであり、加湿手段により加湿された空間および加湿による結露等、湿度成分をサウナ装置内部またはサウナ対象室より外部に排気することができ、また加熱手段と排気手段を組み合わせて運転することによりサウナ装置内部またはサウナ対象室を乾燥することができるため、より短時間で湿度成分を除去することができる。
【００７３】
また、請求項１５に記載の発明は、請求項１〜１４のいずれかに記載のサウナ装置において、前記水破砕手段に水または温水を供給する給水手段と、この給水手段に供給する水を加熱する熱交換器を備えたことを特徴とするものであり、水破砕手段に温水供給することにより、温熱感がある加湿空気を作り出すことができ、また、加湿量を大幅に増加することができる。
【００７４】
また、請求項１６に記載の発明は、請求項１〜１５のいずれかに記載のサウナ装置において、サウナ対象室に面する吸込口から前記気液分離手段に至る空気流通路に発熱体を設けることを特徴とするものであり、温熱感がある加湿空気を作り出すことができ、また加湿量を増加することができ、また加湿後の乾燥が発熱体での加熱乾燥空気を送り込むことにより可能となる。
【００７５】
また、請求項１７に記載の発明は、請求項１６に記載のサウナ装置において、前記気液分離手段を温水コイルで構成することを特徴とするものであり、温水コイルにより大粒の水滴と微細水滴とを分離し大粒水滴を回収することができ、一方、温水コイルに温水を流すことにより加熱加湿空気を吹き出すことができる。
【００７６】
また、請求項１８に記載の発明は、請求項１〜１７のいずれかに記載のサウナ装置において、水破砕手段に水または温水を供給する給水手段のサウナ対象室からの給水接続口と、サウナ装置内部の水を外部に排出する排水口と、前記給水手段に供給する水を加熱する熱交換器に接続してなる循環温水回路のサウナ装置への入口および出口とを、サウナ装置の一側面に位置させたことを特徴とするものであり、一方向のみを施工スペースとして設ければよく、配管施工作業が一方向から行えるので、施工性が向上する。
【００７７】
また、請求項１９に記載の発明は、請求項１、２、３、４、６、７、８、９、１０、１１、１２、１４、１５、１６、１７、または１８に記載のサウナ装置において、前記気液分離手段からサウナ対象室に面した吹出口に至る流路に、一旦鉛直上方に持ち上げたのち、前記吹出口に向けて下方に降下する通風路を形成することを特徴とするものであり、水破砕手段と気液分離手段により回収され排水口に導かれた水が送風手段により送気される空気流にのって吹出口より吹き出すことを抑制することができるため、サウナ装置の吹出口からは微細な水滴のみ吹き出され、サウナ対象室にいる使用者に大粒の水滴がかかることをなくすことができる。
【００７８】
また、請求項２０に記載の発明は、請求項１、２、３、４、６、７、８、９、１０、１１、１２、１４、１５、１６、１７、１８、または１９に記載のサウナ装置において、各配管接続口を、前記サウナ装置を下方からみたときに、前記サウナ装置を収納するためにサウナ対象室の天井に形成した開口縁よりも内側に設けたことを特徴とするものであり、万一、配管を接続する接続口より漏水した場合でも水は全てサウナ対象室内に滴下し、天井裏には漏水することがなく、サウナ装置からの漏水による拡大被害を防ぐことができる。
【００７９】
また、請求項２１に記載の発明は、請求項２または３に記載のサウナ装置において、前記水破砕手段に水または温水を供給する給水手段と、この給水手段に供給する水を加熱する熱交換器に接続する循環温水回路とを備え、前記循環温水回路を着脱可能に構成することを特徴とするものであり、サウナ装置から加湿手段または加熱手段を取り外すことが容易に行えるので、高所に設置され重量の大きい加湿手段または加熱手段のメンテナンスを安定した作業体勢で行うことができる。
【００８０】
また、請求項２２に記載の発明は、請求項２１に記載のサウナ装置において、前記加熱手段と前記加湿手段と前記送風手段とを収納する前記箱体の下部に形成した開口よりも、前記加湿手段の断面形状を小さくしたことを特徴とするものであり、加湿手段を取り出すときに無理な動作を行うことなく、下方に引き出すようにして加湿手段を取り外すことができる。
【００８１】
また、請求項２３に記載の発明は、請求項２１に記載のサウナ装置において、前記加熱手段と前記加湿手段と前記送風手段とを収納する前記箱体の下部に形成した開口よりも、前記加熱手段の断面形状を小さくしたことを特徴とするものであり、加熱手段を取り出すときに無理な動作を行うことなく、下方に引き出すようにして加湿手段を取り外すことができる。
【００８２】
また、請求項２４に記載の発明は、請求項２または３に記載のサウナ装置において、加熱手段、加湿手段、および送風手段の動作制御をおこなう制御手段を備え、前記制御手段は前記加熱手段、加湿手段、および送風手段より着脱可能な構成とすることを特徴とするものであり、サウナ装置から制御手段一式を取り外すことにより、電装系部品のメンテナンスや交換の作業性が向上する。
【００８３】
また、請求項２５に記載の発明は、請求項２４に記載のサウナ装置において、前記加熱手段と前記加湿手段と前記送風手段とを収納する前記箱体の下部に形成した開口よりも、前記制御手段の断面形状を小さくしたことを特徴とするものであり、制御手段を取り出すときに無理な動作を行うことなく、下方に引き出すようにして制御手段を取り外すことができる。
【００８４】
以下、本発明の実施の形態について図面を参照しながら説明する。
【００８５】
（実施の形態１）
図１、図２、および図３に示すように、サウナ対象室１の天井裏空間２にサウナ装置３が設けられ、サウナ装置３の下面に形成された開口部４は天井開口５を介してサウナ対象室１に連通し、またサウナ装置３には水または温水をサウナ装置３に供給する給水管６、およびサウナ装置３から排出される水を排水する排水管７が接続され、一方、熱源である給湯器８には熱源側温水循環回路として循環温水回路往路管９と循環温水回路復路管１０とが接続されている。サウナ対象室１およびサウナ装置３内部を乾燥、あるいは加熱するときには給湯器８から温水が循環温水回路往路管９を介してサウナ装置３に送り込まれ、サウナ装置３内部で熱交換された後、循環温水回路復路１０を介して熱源である給湯器８に戻る動作となり、一方、サウナ対象室１またはサウナ装置３内部を加湿するときには給水管６を介して、市水がサウナ装置３に送水され一部は加湿として使用され、残った水が排水管７を介して排水されるものであり、サウナ対象室１またはサウナ装置３内部を加熱加湿する場合は給湯器８から温水が循環温水回路往路管９を介してサウナ装置３に送り込まれるとともに、給水管６を介して市水がサウナ装置３に送水され、熱源からの循環温水はサウナ装置３内部で熱交換された後、循環温水回路復路１０を介して給湯器８に戻り、給水管６より供給された市水の一部は加湿として使用され、加湿に使用されなかった水が排水管７を介して排水されることとなる。
【００８６】
図２および図３に示すように、サウナ装置３は一開口面を有した箱体４１の内部に加湿手段１１と加熱手段１２と制御手段１３が収納されており、排気手段１４は箱体４１の側面に内部を連通して設けられており、制御手段１３は加湿手段１１と加熱手段１２と排気手段１４と電気的に接続されている。
【００８７】
加湿手段１１は加湿用送風手段１５と水破砕手段１６と気液分離手段１７と給水手段１８と排水手段１９と循環温水回路２０から構成されている。加湿用送風手段１５によりサウナ対象室１より第一の吸込口２１から吸い込まれた空気が水破砕手段１６を通過し、気液分離手段１７を通り第一の吹出口２２からサウナ対象室１に送り込まれ、一方、水破砕手段１６には熱源としての給湯器８から循環温水回路往路管９を介し循環温水回路入口接続部２３を通り熱交換器３７に送り込まれた温水と、給水手段１８により送水される市水とで熱交換が行なわれ、給水手段１８と連通する水破砕手段１６の構成要素である噴射手段２４から温水が噴射される。噴射手段１６から噴射された温水は水破砕手段１６の構成要素である衝突手段２５に衝突し、微細な水滴に砕かれる。砕かれた水滴は加湿用送風手段１５による空気流に乗り気液分離手段１７を通過するが、気液分離手段１７を加湿空気が通過するとき大粒水滴と微細な水滴に分離され、微細な水滴のみが第一の吹出口２２からサウナ対象室１に吹き出される。
【００８８】
加熱手段１２は加熱用温水コイル２６と加熱用送風手段２７からなり、加熱用送風手段２７が駆動することによりサウナ対象室１から第二の吸込口２８を介して加熱手段１２に送り込まれる。加熱手段１２に備えた加熱用温水コイル２６は給湯器８から循環温水回路往路管９を介し循環温水回路入口接続部２３を通り、水の流通の開閉を行なう加熱用開閉手段３０を通過し加熱用温水コイル２６に温水が供給される。加熱用温水コイル２６は空気−水の熱交換器であり、サウナ対象室１から送り込まれた空気と熱源から送水された温水が加熱用温水コイル２６で熱交換され加熱空気として加熱用送風手段２７を通り第二の吹出口２９からサウナ対象室１に吹き出される。
【００８９】
排気手段１４は換気用送風手段３１が作動することによりサウナ対象室１から第一の吸込口２１と第二の吸込口２８より吸い込み、サウナ対象室１外へ加湿空気等を排気するものである。そして加湿手段１１と排気手段１４の吸込口は同じ空気流入口４８であり、加湿手段１１で加湿したサウナ対象室１およびサウナ装置３における加湿手段１１内部の湿気も、排気手段１４が動作することによりサウナ装置３の外部に排気できるものである。
【００９０】
制御手段１３は加湿手段１１、加熱手段１２および排気手段１４と電気的に接続されており、給湯器８と、加湿手段１１における加湿用温水循環回路制御弁３２と給水手段１８の構成要素である給水制御弁３３と加湿用送風手段１５とに電気的に接続され、一方、加熱手段１２とは加熱用開閉手段３０と加熱用送風手段２７に電気的に接続され、さらに排気手段１４とは換気用送風手段３１と電気的に接続され、各々に動作制御の指示を送信している。
【００９１】
熱源である給湯器８から循環温水回路往路管９を介してサウナ装置３へ送水される温水は循環温水回路入口接続部２３を通過したあと温水循環往路分岐部３５で２分岐され、一方は、加湿手段１１に備えた循環温水回路２０へ導かれ、加湿用温水循環回路制御弁３２を通り熱交換器３７へ入る。熱交換器３７で給水手段１８により給水された市水と熱を交換した水は再び循環温水回路２０を通り、温水循環復路分岐部３６で合流する。温水循環回路往路分岐部３５で分岐された他方は、加熱手段１２の循環温水回路２０に入り加熱用開閉手段３０を介し加熱用温水コイル２６に導かれ、加熱用送風手段２７により加熱手段１２に導かれたサウナ対象室１の空気と加熱用温水コイル２６で熱交換され、再び循環温水回路２０に入り温水循環復路分岐部３６で加湿手段１１から戻ってきた温水または水と合流し循環温水回路出口接続部３８を通り、循環温水回路復路管１０を介し給湯器８に戻る。
【００９２】
給水手段１８は給水管６と給水接続口３９で接続されており、市水が給水管６を通じて給水手段１８に導かれるものであり、給水手段１８は給水の止水、通水、および流量調節をつかさどる給水制御弁３３を備えており、給水制御弁３３を通じて安定した流量の市水を熱交換器３７に送り込み、熱交換器３７で給湯器８からの温水と熱交換を行ない温水となって水破砕手段１６の構成要素である噴射手段２４に導かれる。噴射手段２４はノズルで構成され、ノズルにより噴射された温水は衝突手段２５である衝突板に衝突する。このためノズルで噴射された水滴が衝突板に衝突することによりさらに小さな水滴になり、加湿用送風手段１５により送気されたサウナ対象室１の空気を加熱加湿する。一方、送気された空気に乗らない大粒の水滴は重力により回収され排水手段１９の構成要素である排水路に導かれる。水破砕手段１６を通過した加熱加湿空気は大粒水滴と微細水滴を分離する気液分離手段１７を通過する。気液分離手段１７は気液分離用温水コイル４０で構成され、気液分離用温水コイル４０の空気が通過する複数のフィンの形状は凹凸のあるもの、あるいは切り起こしのあるものが望ましい。フィンは縦方向に配置され、複数のフィンの間を通過する加熱加湿空気はフィンの凸凹あるいは切り起こしの形状を通過するとき、蛇行して通過することとなり、フィン表面への衝突を繰り返して通過するため、この衝突により加熱加湿空気の大粒の水滴がフィンの表面に付着し、フィンに沿って流れ落ち回収されることとなる。回収された水または温水は排水手段１９であり、ファン４３の下方から気液分離用温水コイル４０の下方にかけて下り勾配に形成される排水路に流れ落ち、先の水破砕手段１６で回収された水または温水とともに排水口４５よりサウナ装置３の外部に排出される。
【００９３】
サウナ対象室１の天井裏空間２に設置したサウナ装置３に備えた第一の吹出口２２および第二の吹出口２９から吹き出された加熱加湿空気は、吹出口付近で交わり湿度成分の高い加熱加湿空気がサウナ対象室１内に拡散する。入浴をする使用者は通常座った位置で入浴するため、第一の吹出口２２および第二の吹出口２９から吹き出された高温高湿の空気に直接当たらずに、加熱加湿空気はサウナ対象室１内に拡散されて、使用者は均一化された温湿度を受けることとなり、サウナ対象室１が体感上非常に均一な空間となる。
【００９４】
以上のように本実施の形態によれば、加熱手段１２、加湿手段１１、および送風手段を天井裏空間２に設置することにより、直接、サウナ対象室１内にいる使用者に高温高湿の吹出し空気が当たりにくく、サウナ対象室１にムラのない湿度空間を創造することができる。
【００９５】
また、本実施の形態によれば、加湿手段１２、加熱手段１１、送風手段を一体にして箱体に収めることにより、サウナ装置の施工が容易になり、また水回路が一箇所に集中することによる装置からの水漏れ対策が容易になる。
【００９６】
次に、図４および図５を用いて加湿手段１１の詳細構成を示す。
【００９７】
加湿手段１１は、水破砕手段１６と、気液分離手段１７と、給水手段１８と、温水循環手段としての循環温水回路２０と、排水手段１９と、加湿用送風手段１５とにより構成されている。加湿手段１１は、その一方側に水破砕手段１６を備え、空気流通路４４を間に介在させて他方側に気液分離手段１７を備えて構成され、水破砕手段１６、空気流通路４４、および気液分離手段１７は全体として横長形状となるように配置されている。
【００９８】
従来技術の図１０に示すように、ファンユニット１０９による空気吸込口１０２からの空気流入量には上限があるので、熱交換促進部材１０９の薄板１０７の面積を大きくとる必要がある。つまり、空気吸込口１０２からの空気流と湯噴射口１０４からの温水の接触面積、要するに空気流と温水の接触時間をを多くとることができる最も安価かつ効率的な形状は、温水を高さ方向に薄板１０７に沿って流れ落とし空気流との接触時間を多くとる縦長の形状とすることである。しかし、このような構成では、高さ方向に制約のある場所への設置（例えば、天井裏への設置）が困難であるので、本発明の加湿手段１１の有する構成がサウナ装置の高さ方向の小型化を実現できるため有効である。
【００９９】
水破砕手段１６は噴射手段２４と衝突手段２５を備え、圧力を有した水または温水を供給する給水手段１８は噴射手段２４であるノズルに連結され、圧力を有した水または温水はノズルより衝突手段２５である衝突板に向けて噴射される。ノズルは噴射した水が広角に広がるタイプが望ましく、広角に広がった水膜が衝突板の広い面積に衝突する。
【０１００】
加湿用送風手段１５は加湿送風用電動機４２と加湿送風用電動機４２のシャフトに連結されたファン４３とで構成され、ファン４３は、例えばシロッコファンなどの遠心ファンで構成される。加湿用送風手段１５は上部に設けられ、加湿送風用電動機４２はその回転軸が鉛直方向に配設され、ファン４３は加湿送風用電動機４２よりも鉛直下方向になるように設けられ、加湿送風用電動機４２の下部に吸込み口を備えて配置されている。加湿送風用電動機４２が駆動するとファン４３が回転し、ファン４３の上部、つまり、加湿送風用電動機４２とファン４３との隙間より空気を吸い込み、ファン４３の遠心方向に吹き出す。
【０１０１】
一方、衝突手段２５は、水または温水を衝突させて微細な水滴にする機能と送風機能とを併せ持ち、それ自体が運動するファン４３で構成される。噴射手段２４であるノズルから噴射された水または温水は、加湿送風用電動機４２により回転するファン４３に衝突するため、このとき、ノズルからの噴射によりある程度微細化した水または温水をさらに回転体であるファン４３に衝突させることにより微細な水滴とするものである。ノズルに供給される水または温水の圧力が水道圧を利用する場合、ノズルのみでの水滴の微細化であると水道圧の影響を直接受け、場合によっては水滴にならない可能性もあるが、供給された水をファン４３に衝突させることにより水道圧の影響が低減でき、常に微細な水滴を作り出すことができる。このようにして、ファン４３は、加湿用送風手段１５と衝突手段２５の働きを兼ね備えるため、コストパフォーマンスがよく、また、空間を有効に活用できる水破砕手段１６を構成できる。さらに、加湿用送風手段１５と衝突手段２５が一体のものとなることにより微細水滴と風の流れが非常によく交わり、小型の水破砕手段１６でも非常に加湿能力の高いものとなる。
【０１０２】
本実施の形態の噴射手段２４はファン４３の外周より噴射し衝突するものであるが、ファン４３の吸込口に噴射手段２４を設置し、ファン４３の吸込み側より噴射する構成としてもよい。
【０１０３】
ファン４３に衝突した水または温水の一部は空気流と交わり加湿空気として気液分離手段１７へ送気されるが、その他はファン４３または周囲の壁面より滴下しファン４３の下部に溜まる。加湿送風用電動機４２は上部に取り付けられているため、ファン４３の下部に溜まった水または温水が滴下または浸入してくるおそれはなく、またファン４３は吸込口が上向きに取り付けられているため、ファン４３の下部に溜まった水がファン４３の回転により吸込口が負圧になり、このことにより水または温水がファン４３の下に滞留するということがない。
【０１０４】
水破砕手段１６より発生した加熱加湿空気は加湿用送風手段１５により気液分離手段１７へ導かれる。気液分離手段１７は気液分離用温水コイル４０で構成され、気液分離用温水コイル４０の空気が通過する複数のフィンの形状は凹凸のあるもの、あるいは切り起こしのあるものが望ましい。フィンは縦方向に配置され、複数のフィンの間を通過する加熱加湿空気はフィンの凸凹あるいは切り起こしの形状を通過するとき、蛇行して通過することとなり、フィン表面への衝突を繰り返して通過するため、この衝突により加熱加湿空気の大粒の水滴がフィンの表面に付着し、フィンに沿って流れ落ち回収されることとなる。
【０１０５】
このようにして気液分離手段１７を通過した加熱加湿空気は５μｍ以下の微細な水滴のみ含んだ加湿空気となり、第一の吹出口２２よりサウナ対象室１に送風される。サウナ対象室１に吹き出される加熱加湿空気は５μｍ以下の微細な水滴のみであるため、非常に拡散性がよくサウナ対象室１内を均一な温湿度空間にする。また、サウナ対象室１内は高温高湿ではあるが水滴の径が小さいため、クリアな空間となる。このため、サウナ対象室１にいる使用者は、肌にべったりとまとわりつくような水滴を使用者が感じることを軽減して、快適なサウナ空間を体感できることとなる。また、使用者はサウナ入浴時に浴室テレビの観賞や読書等をすることが可能となる。
【０１０６】
水破砕手段１６と気液分離手段１７は高さ方向に対して略水平に位置され、さらに気液分離部１７と第一の吹出口２２も略水平に位置されている。水破砕手段１６から第一の吹出口２２は気液分離手段１７を介して空気流通路４４で連通されており、空気流は加湿用送風手段１５であり水破砕手段１６の構成要素でもあるファン４３の上部より吸い込まれ、ファン４３はファンの遠心方向、つまり、水平方向に加熱加湿空気を吹き出し、加熱加湿空気は空気流通路４４を水平に動き縦方向にフィンが配列された気液分離手段１７である気液分離用温水コイル４０を水平に通過し、排水口４５の上端より高い位置に開口を設けた液巻込み防止手段４６により、一度鉛直上方に導かれたのち、サウナ装置３の下部に設けられサウナ対象室１の天井開口５に通ずる第一の吹出口２２に向かい鉛直下方向に吹き出される。
【０１０７】
液巻込み防止手段４６は、気液分離手段１７から第一の吹出口２２に至る通風路において、排水口４５の開口の上端よりも鉛直上方に高い位置に延びるように形成される仕切壁により構成され、ファン４３により第一の吹出口２２に向かって送り込まれる水滴を拭くんだ空気流は、一旦排水口４５よりも高く持ち上げられてこの仕切壁を越えると、第一の吹出口２２に向かい鉛直下方に降下する。仕切壁を越えるときに空気流から離れて、仕切壁の側面に付着した水滴は、仕切壁をつたわり下方に向け流下し、排水口４５から排水される。このようにして比較的大粒の水滴は第一の吹出口２２まで進行しないことになり、比較的大粒の水滴が使用者に吹きつけられることを防止している。
【０１０８】
一方、給水手段１８は熱交換器３７を介して噴射手段２４まで水を導くものであり、熱交換器３７は水と温水の熱の授受を行うもので、給湯器８から温水を供給する循環温水回路２０と接続され、循環温水回路２０から供給された温水は熱交換器３７を通過したあと、気液分離用温水コイル４０に入り給湯器８に再び戻ることとなることとなるが、給水手段１８の流路の中に供給された水が熱交換器３７を通過することにより熱を奪い、温水となって噴射手段２４より噴射されることとなる。噴射された温水は水破砕手段１６で一部は加熱加湿空気として奪われるが、その他はファン４３の周囲に形成される壁面に沿って流れ落ちたり、空間を落下したりしてファン４３の下方に回収される。
【０１０９】
排水手段１９としての排水路は水破砕手段１６の下方から空気流通路４４に沿って気液分離手段１７を介し排水口４５に通ずるものであり、略水平に構成されたものであるが、水破砕手段１６から気液分離手段１７の間は気液分離手段１７に向かって下り勾配とし、気液分離手段１７から排水口４５の間も排水口４５に向かって下り勾配となっている。このため水破砕手段１６および気液分離手段１７で回収された水または温水が下り勾配に沿って排水口４５に導かれることとなる。
【０１１０】
一方、排水手段１９は空気流通路４４と空間をともにした構造であり、このため加熱加湿空気が上部に位置する空気流通路４４を通過し回収された水または温水が下部に位置した排水手段１９を流れることとなるが、空気流通路４４と排水手段１９の排水路の接した部分では、空気流通路４４内を流れる加湿加熱空気が含む大粒の水滴は流れに沿って排水手段１９に回収され、空気流通路４４を移動する加湿加熱空気はより微細な水滴のみを含むものとなる。気液分離手段１７を通過した加熱加湿空気は液巻込み防止手段４６により一度上方に向きを変えて流れるため、第一の吹出口２２から吹き出される時に排水手段１９を流れる水または温水をまき込む恐れはなく、また排水手段１９を流れる水または温水もスムーズに排水口４５に流れることとなる。
【０１１１】
液巻込み防止手段４６を通過した加熱加湿空気は、鉛直下方向で排水口４５より下方に位置する第一の吹出口２２から吹き出される。したがって排水口４５は第一の吹出口２２より高い箇所に位置し、一方、第一の吹出口２２はサウナ装置３の開口部４の高さと同位置であり、開口部４はサウナ対象室１の天井面に設けられた天井開口５の高さと略一致するため、排水口４５の高さはサウナ対象室１の天井面より高い位置となる。排水口４５より配水される水または温水はサウナ対象室１の縁より下方に導かれ、例えばサウナ対象室１の壁面を貫通し浴槽の下に位置するドレンパンに排水することとなるが、排水口４５がサウナ対象室１の天井面より確実に高い位置にあるため排水口４５以降も常に下り勾配を保った排水経路を確保できる。
【０１１２】
また、図５に示すように、排水手段１９は、ファン４３の下方から気液分離手段１７に至る流路の下部を含み、排水口４５に向かい下り勾配となっており、排水手段１９の高さ方向の最下部近傍には排水手段１９を流れる水または温水の量を検知する水位検知手段４９が設けられている。排水口４５より流れる水または温水の量より給水手段１８から供給される水または温水の量が多いとき、または排水口４５以降の配管施工工事不良により排水がなされないとき等、排水手段１９に水が溜まることとなる。排水手段１９にある一定以上の水または温水が溜まった場合、水位検知手段４９が異常水位として検知し電気的に接続された制御手段１３に信号を送り、制御手段１３は給水制御弁３３に給水を止める信号を送ることにより給水制御弁３３は閉となり、給水手段１８より水または温水が供給されなくなる。これより排水で異常がおきた時でもサウナ装置３から溢水することはない。
【０１１３】
本実施の形態のサウナ装置は以下のような問題を解決することができる。図１０に示す従来技術のサウナ装置においては、湯噴出口１０４から熱交換促進部材１０８上に温水を噴出する構成であるため、サウナ装置の停止時には熱交換促進部材１０８上、および噴出湯管１０４に多量の水滴が付着してしまう。このように多量の水滴が付着した状態では、装置内および浴室内にカビや菌が繁殖しやすく衛生上好ましくないものであった。
【０１１４】
給水手段１８が水または温水を噴射手段２４に供給しない状態で加湿用送風手段１５を駆動し、循環温水回路２０に温水を流した場合に気液分離用温水コイルは放熱器となりサウナ装置３内部の空気流通路４４に暖気を流通させることにより結露した空気流通路４４を乾燥させ、また暖気は第一の吹出口２２から吹き出されるためサウナ対象室１も乾燥させることとなる。このことにより菌・カビの増殖を抑制することができる。
【０１１５】
また、加湿用送風手段１５の吸込口側に、つまり水破砕手段１６に導かれる前に発熱体４７を備えた場合には、加湿用送風手段１５により水破砕手段１６に送られる空気は発熱体４７によって加熱される。加熱された空気が水破砕手段１６に入ることにより、水破砕手段１６内部の空気の飽和水蒸気量が多くなり、つまりは加湿量を上げることができ、さらには発熱体４７の温度を調節することにより加湿量を変化させることができる。また、給水手段１８からの給水を停止した状態で加湿送風用電動機４２を駆動させることにより加湿手段１１内部を乾燥することができる。
【０１１６】
なお、給水手段１８から供給される水量または水温を変化させることにより加湿量が変化することはいうまでもなく、さらには加湿送風用電動機４２の回転数を変化させることにより加湿量が調整できることはいうまでもない。
【０１１７】
以上のように本実施の形態によれば、その一方側に水破砕手段１６を備え、空気流通路４４を間に介在させて他方側に気液分離手段１７を備えて加湿手段１１を構成し、水破砕手段１６、空気流通路４４、および気液分離手段１７は全体として横長形状となるように配置されていることにより、従来高さ方向が必要であった加湿部分において、高さ方向に寸法を取らない加湿手段１１を構成できるので、つまりは高さ方向の寸法が小さいサウナ装置３となることによりサウナ対象室１の天井裏空間２にサウナ装置３を設置することができる。
【０１１８】
また、本実施の形態によれば、水破砕手段１６は水または温水を噴射する噴射手段２４と噴射手段２４により噴射した水または温水を衝突させ、それ自体が運動する衝突手段２５とを含むことにより、噴射手段２４の噴射エネルギーと衝突手段２５の衝突エネルギーに加え、衝突手段２５自体の運動エネルギーが加算され、水または温水を微細に破砕するエネルギーが大きくなるので、水破砕手段１６を構成する部分の小型化が可能となる。
【０１１９】
また、運動する衝突手段２５により供給された水または温水が微細化される構造であるため、少量の水または温水でも広範囲にわたり加湿空気となり、供給水量または供給温水量に対して効率よく加湿することとなる。このことにより水のロスの少ない、また温水を使用する場合は熱ロスの少ない、つまりはガス使用量または電気使用量の少ない高効率な加湿器となる。
【０１２０】
また、本実施の形態によれば、水破砕手段１６と気液分離手段１７とを水平方向に一列に配置する構成としたので、空気と液体が水平方向に流動させることにより、サウナ装置３の高さ方向を低くすることができる。
【０１２１】
また、本実施の形態によれば、衝突手段２５は、水または温水を水滴に破砕するとともに前記水滴を送風するファン４３で構成されるので、衝突手段２５が送風手段と水破砕手段１６を兼ねることもでき、小型で安価な加湿手段が構成できる。
【０１２２】
また、本実施の形態によれば、ファン４３は鉛直上方から吸い込む構成としているので、水破砕手段１６で回収された水が水破砕手段１６の下面で滞留することなく確実に排水口４５に導くことができる。
【０１２３】
また、本実施の形態によれば、気液分離手段１７と連通し、気液分離手段１７により分離された水を排出する排水口４５を設け、気液分離手段１７から排水口４５に至る通路に水位検知手段３４を設けたので、排水不良で回収された水が排水されない状態となった時でも、水位検知手段３４によりサウナ装置３から溢水しないこととなる。
【０１２４】
また、本実施の形態によれば、気液分離手段１７から第一の吹出口２２に至る通風路において、排水口４５の開口の上端よりも鉛直上方に高い位置に延びる仕切壁を形成したので、サウナ装置３の吹出口からは微細な水滴のみ吹き出され、サウナ対象室１にいる使用者に大粒の水滴がかかることをなくすことができる。
【０１２５】
次に、図６を用いて他の加湿手段の詳細構成を示す。なお、前述の図５に示す加湿手段と異なる構成のみ詳細に説明する。
【０１２６】
図６に示すように、排水手段１９は水破砕手段１６から気液分離手段１７の間は気液分離手段１７に向かって下り勾配とし、気液分離手段１７から貯水部５０の間も貯水部５０に向かって下り勾配となっている。このため水破砕手段１６および気液分離手段１７より回収された水または温水は貯水部５０に導かれる。貯水部５０は強制排水手段として排水ポンプ５１が備えられ排水ポンプ５１の吐出部は排水口４５と接続されている。給水手段１８より水または温水が水破砕手段１６に供給され加湿に使用されなかった水または温水が貯水部５０に溜まると水位検知手段４９が水位を検知し排水ポンプ５１を駆動させ貯水部５０に溜まった水または温水を排水口４５より強制的に排水する。
【０１２７】
以上のように本実施の形態によれば、排水口４５の位置に関係なく水または温水が強制的に排水されるため、サウナ装置３の排水管施工時にサウナ対象室１の天井裏空間２に備えられたダクト、配水管、電気配線等により下り勾配が取れない場合でも施工ができることになる。
【０１２８】
また、本実施の形態によれば、気液分離手段１７に対して下流側に設けた排水ポンプ５１の吐出側を排水口４５としたので、排水揚程が取れないような施工現場でも強制排水が行うことができる。
【０１２９】
次に、図７、図８、および図９を用いて、サウナ装置３の内部構成を示す。
【０１３０】
サウナ装置３は、給湯器８の循環温水回路往路管９と循環温水回路入口接続部２３で接続され、循環温水回路復路管１０と循環温水回路出口接続部３８で接続されている。箱体４１に加湿手段１１および加熱手段１２を収納した時に、加湿手段１１の循環温水回路２０の入口および出口と、加熱手段１２の循環温水回路２０の入口および出口は排水口４５の近傍で、各々温水循環往路分岐部３５および温水循環復路分岐部３６で結合し、サウナ対象室１よりサウナ装置３を見て排気手段１４を手前にした場合、サウナ装置３の左側面に循環温水回路入口接続部２３と循環温水回路出口接続部３８を備えた構成となる。
【０１３１】
また、加湿手段１１に水または温水を供給する給水手段１８は、サウナ対象室１よりサウナ装置３を見て排気手段１４を手前にした場合、サウナ装置３の左側面に給水接続口３９を設けた構成であり、給水接続口３９と排水口４５と循環温水回路入口接続部２３と循環温水回路出口接続部３８は全てサウナ対象室１より見て排気手段１４を手前にした場合、サウナ装置３の左側面に設けられており、配管施工時に一側面から全ての配管接続作業ができることとなる。
【０１３２】
サウナ対象室１の天井開口５は、サウナ装置３の開口部４およびサウナ装置３の箱体４１であるフレームつば５２の面積に対し十分大きな面積を有しており、一方、給水接続口３９と排水口４５と循環温水回路入口接続部２３と循環温水回路出口接続部３８はサウナ装置３の本体側面に備え、開口部４の方向より見たときフレームつば５２に隠れて見えない位置、つまりフレームつば５２より内側に備えたものである。各々の接続口には給水管６、排水管７および循環温水回路往路管９と循環温水回路復路管１０が接続されるため、各々の接続口は天井開口５から鉛直方向に見て内部に位置することとなる。万一、接続口より水漏れが起こった場合でも水滴は全て天井開口５を介してサウナ対象室１に滴下するため、天井裏空間２への漏水はなく、また漏水していることが使用者にも確認できるため、装置接続部の水漏れによる拡大被害を防ぐことができる。
【０１３３】
また、サウナ装置３は一つの箱体４１の内部に制御手段１３と加湿手段１１と加熱手段１２を備えたものであり、加湿手段１１と加熱手段１２は循環温水回路入口接続部２３と循環温水回路出口接続部３８で接続されており、一方、制御手段１３は加湿手段１１および加熱手段１２と信号線（図示せず）で接続されている。
【０１３４】
加熱手段１２の循環温水回路入口接続部２３に設けられた入口側接続部５３と循環温水回路出口接続部３８に設けられた出口側接続部５４は、サウナ装置３の開口部４方向にずらすことにより取り外すことができ、制御手段１３との接続である信号線（図示せず）を取り外すと、サウナ装置３の箱体４１の下部に形成した開口部４より小さい、つまりは開口部４の面積より投影断面積が小さい加熱手段１２を開口部４からサウナ対象室１へ取り出すことができる。
【０１３５】
続いて加湿手段１１は給水管６との接続部である給水接続口３９と排水管７を施工で取り付けた順序とは逆の手順で取り外し、制御手段１３と接続されている信号線（図示せず）を取り外すことにより、サウナ装置３の開口部４の断面積より小さい、つまりは天井開口部５の断面積より投影断面積が小さい加湿手段１１は、開口部４からサウナ対象室１へ取り外すことができる。
【０１３６】
また、制御手段１３は加湿手段１１と加熱手段１２との信号線（図示せず）が取り外されており、開口部４より小さい、つまりは開口部４の面積より投影断面積が小さい制御手段１３は、開口部４からサウナ対象室１へ取り外すことができる。このように箱体４１より取り外される加湿手段１１、加熱手段１２、または制御手段１３は容易に部品交換、メンテナンス作業ができることとなる。
【０１３７】
以上のように本実施の形態によれば、給水手段１８のサウナ対象室１からの給水接続口３９と、サウナ装置３内部の水を外部に排出する排水口４５と、給水手段１８に供給する水を加熱する熱交換器３７に接続してなる循環温水回路２０のサウナ装置３への入口および出口とを、サウナ装置３の一側面に位置させたことにより、一方向のみを施工スペースとして設ければよく、配管施工作業が一方向から行える。
【産業上の利用可能性】
【０１３８】
本発明のサウナ装置は、室内に取付けた加湿手段を用いて容易に室内を温調さらに湿度調整ができるため一般の空調機に適用することができる。
【０１３９】
また、本発明のサウナ装置は、吹出温度は低いが高湿度の空気を生成するため非常に体感温度が高くなり、一般の暖房機に適用することができる。
【０１４０】
また、本発明のサウナ装置は、微細水滴の作用により植物の保存、発育促進を目的とする装置に適用することができる。
【０１４１】
また、本発明のサウナ装置は、水破砕を用いた加湿器であるため、滝効果と同じ負イオン発生装置に適用することができる。
【０１４２】
また、本発明のサウナ装置は、温水を流さなければ吹出し空気は微細な水滴の集合体の高湿度空気であるため、ネブライザーにも適用することができる。
【図面の簡単な説明】
【０１４３】
【図１】本発明の形態１のサウナ装置の設置状態を示す斜視図
【図２】同サウナ装置の内部構成を示す下面図
【図３】同サウナ装置の構成を示す概念図
【図４】同サウナ装置の加湿手段を示す斜視図
【図５】同サウナ装置における加湿手段の内部構成を示す断面図
【図６】同サウナ装置における他の加湿手段の内部構成を示す断面図
【図７】同サウナ装置の箱体内の内部構成を示す斜視図
【図８】同サウナ装置の内部構成を示す斜視図
【図９】同サウナ装置において加湿手段と加熱手段と制御手段を取り外す状態を示す斜視図
【図１０】従来のサウナ装置の内部構造図
【符号の説明】
【０１４４】
１    サウナ対象室
２    天井裏空間
３    サウナ装置
４    開口部
８    給湯器
１１  加湿手段
１２  加熱手段
１３  制御手段
１４  排気手段
１５  加湿用送風手段
１６  水破砕手段
１７  気液分離手段
１８  給水手段
１９  排水手段
２０  循環温水回路
２２  第一の吹出口
２３  循環温水回路入口接続部
２４  噴射手段
２５  衝突手段
２７  加熱用送風手段
３４  水位検知手段
３７  熱交換器
３８  循環温水回路出口接続部
３９  給水接続口
４０  気液分離用温水コイル
４１  箱体
４３  ファン
４４  空気流通路
４５  排水口
４６  液巻込み防止手段
４７  発熱体
４９  水位検知手段
５１  排水ポンプ
【図１】
2006025967.tif 000003
【図２】
2006025967.tif 000004
【図３】
2006025967.tif 000005
【図４】
2006025967.tif 000006
【図５】
2006025967.tif 000007
【図６】
2006025967.tif 000008
【図７】
2006025967.tif 000009
【図８】
2006025967.tif 000010
【図９】
2006025967.tif 000011
【図１０】
2006025967.tif 000012